(57)【要約】【課題】異なる方向に固定でき且ついずれの方向に固定した場合でも同様の放熱性を有するレーザモジュールを提供すること。【解決手段】発振波長が異なる複数のレーザ素子１２ａ〜１２ｃと、複数のレーザ素子１２ａ〜１２ｃが組み付けられ、複数のレーザ素子１２ａ〜１２ｃの発光点２８によって形成される平面３０に対して対称形状をした筐体１０と、筐体１０に組み付けられ、複数のレーザ素子１２ａ〜１２ｃからのレーザ光が入射され、レーザ光を合成して筐体１０の平面３０に交差する前面４０側に出射するダイクロイックプリズム１４ａ、１４ｂと、筐体１０の平面３０の両側に位置する両側面４２、４４に平面３０に対して対称に設けられ、外部部品に固定される固定部１８と、を備えるレーザモジュール。【選択図】図３
2018165784.tif 000002
【特許請求の範囲】
【請求項１】
発振波長が異なる複数のレーザ素子と、
前記複数のレーザ素子が組み付けられ、前記複数のレーザ素子の発光点によって形成される平面に対して対称形状をした筐体と、
前記筐体に組み付けられ、前記複数のレーザ素子からのレーザ光が入射され、前記レーザ光を合成して前記筐体の前記平面に交差する前面側に出射する光学素子と、
前記筐体の前記平面の両側に位置する両側面に前記平面に対して対称に設けられ、外部部品に固定される固定部と、を備えるレーザモジュール。
【請求項２】
前記筐体の両側面において、前記固定部は前記固定部以外の領域よりも高くなって設けられている、請求項１記載のレーザモジュール。
【請求項３】
前記筐体に組み付けられ、前記複数のレーザ素子が出射した前記レーザ光の強度をモニタする受光素子を備え、
前記光学素子及び前記受光素子は、前記平面に対して対称形状となって前記筐体に組み付けられている、請求項１または２記載のレーザモジュール。
【請求項４】
前記複数のレーザ素子と前記光学素子と前記受光素子とは、前記筐体の両側面の間に位置して前記筐体に組み付けられている、請求項３記載のレーザモジュール。
【請求項５】
前記筐体は、内側に空間が設けられた枠体形状を有し、
前記複数のレーザ素子は、前記空間に向かって前記レーザ光を出射するように前記筐体に組み付けられ、
前記光学素子は、前記空間内に位置して前記筐体に組み付けられている、請求項１から４のいずれか一項記載のレーザモジュール。
【請求項６】
前記複数のレーザ素子から出射されて前記光学素子を経由した前記レーザ光は、レンズによって前記筐体の外部で同じ位置に集光される、請求項１から５のいずれか一項記載のレーザモジュール。
【請求項７】
前記複数のレーザ素子から出射された前記レーザ光は、レンズを介さずに前記光学素子に入射する、請求項１から６のいずれか一項記載のレーザモジュール。
【請求項８】
前記筐体の両側面に設けられ、光の反射を抑制するフィルムを備える、請求項１から７のいずれか一項記載のレーザモジュール。
【請求項９】
請求項１から８のいずれか一項記載のレーザモジュールと、
前記レーザモジュールから出射された前記レーザ光を走査する走査光学部材と、
前記走査光学部材で走査された前記レーザ光をユーザの網膜に照射して前記網膜に画像を投影する投影光学部材と、を備える画像投影装置。
【請求項１０】
前記画像投影装置は、メガネ形状であって、前記レーザモジュールが取り付け可能な取り付け部を有する１対のつるを備え、
前記１対のつるのうちの一方のつるの前記取り付け部に前記レーザモジュールを構成する前記筐体の両側面のうちの一方の側面の前記固定部が取り付けられたときの前記複数のレーザ素子の発光点の前記一方のつるの前記取り付け部からの距離と、他方のつるの前記取り付け部に前記レーザモジュールを構成する前記筐体の両側面のうちの他方の側面の前記固定部が取り付けられたときの前記複数のレーザ素子の発光点の前記他方のつるの前記取り付け部からの距離と、は等距離である、請求項９記載の画像投影装置。
【発明の詳細な説明】
【技術分野】
【０００１】
本発明は、レーザモジュール及び画像投影装置に関する。
【背景技術】
【０００２】
複数のレーザ素子を備え、これらレーザ素子からのレーザ光を合成して外部に出射するレーザモジュールが知られている（例えば、特許文献１、２）。レーザモジュールを備えた装置の一例として、レーザモジュールから出射されたレーザ光をユーザの目に照射することで、ユーザの網膜に画像を直接投影するヘッドマウントディスプレイなどの画像投影装置が知られている（例えば、特許文献３、４）。
【先行技術文献】
【特許文献】
【０００３】
【特許文献１】特開２０００−１２９５７号公報
【特許文献２】特開２００３−６６３６９号公報
【特許文献３】特開２００９−２５８６８６号公報
【特許文献４】特開２０１５−１１１２３１号公報
【発明の概要】
【発明が解決しようとする課題】
【０００４】
例えば、レーザモジュールをヘッドマウントディスプレイなどのメガネ型の画像投影装置に用いた場合、ファイバの引き回しや携帯性などを考慮すると、レーザモジュールをメガネのつるに固定することが望ましく、且つ右目用のレーザモジュールを右目側のつるに、左目用のレーザモジュールを左目側のつるに固定することがより望ましい。この場合、右目用のレーザモジュールと左目用のレーザモジュールとでは固定方向や放熱方向が異なることになるため、右目用と左目用それぞれ専用のレーザモジュールを設計することが考えられる。しかしながら、製造コストなどを考慮すると、同じレーザモジュールを右目用と左目用とで共用できることが望ましい。
【０００５】
本発明は、上記課題に鑑みなされたものであり、異なる方向に固定でき且ついずれの方向に固定した場合でも同様の放熱性を有し、同様の光学レイアウトを可能とするレーザモジュール及びこのレーザモジュールを備えた画像投影装置を提供することを目的とする。
【課題を解決するための手段】
【０００６】
本発明は、発振波長が異なる複数のレーザ素子と、前記複数のレーザ素子が組み付けられ、前記複数のレーザ素子の発光点によって形成される平面に対して対称形状をした筐体と、前記筐体に組み付けられ、前記複数のレーザ素子からのレーザ光が入射され、前記レーザ光を合成して前記筐体の前記平面に交差する前面側に出射する光学素子と、前記筐体の前記平面の両側に位置する両側面に前記平面に対して対称に設けられ、外部部品に固定される固定部と、を備えるレーザモジュールである。
【０００７】
上記構成において、前記筐体の両側面において、前記固定部は前記固定部以外の領域よりも高くなって設けられている構成とすることができる。
【０００８】
上記構成において、前記筐体に組み付けられ、前記複数のレーザ素子が出射した前記レーザ光の強度をモニタする受光素子を備え、前記光学素子及び前記受光素子は、前記平面に対して対称形状となって前記筐体に組み付けられている構成とすることができる。
【０００９】
上記構成において、前記複数のレーザ素子と前記光学素子と前記受光素子とは、前記筐体の両側面の間に位置して前記筐体に組み付けられている構成とすることができる。
【００１０】
上記構成において、前記筐体は、内側に空間が設けられた枠体形状を有し、前記複数のレーザ素子は、前記空間に向かって前記レーザ光を出射するように前記筐体に組み付けられ、前記光学素子は、前記空間内に位置して前記筐体に組み付けられている構成とすることができる。
【００１１】
上記構成において、前記複数のレーザ素子から出射されて前記光学素子を経由した前記レーザ光は、レンズによって前記筐体の外部で同じ位置に集光される構成とすることができる。
【００１２】
上記構成において、前記複数のレーザ素子から出射された前記レーザ光は、レンズを介さずに前記光学素子に入射する構成とすることができる。
【００１３】
上記構成において、前記筐体の両側面に設けられ、光の反射を抑制するフィルムを備える構成とすることができる。
【００１４】
本発明は、上記のいずれかに記載のレーザモジュールと、前記レーザモジュールから出射された前記レーザ光を走査する走査光学部材と、前記走査光学部材で走査された前記レーザ光をユーザの網膜に投射して前記網膜に画像を投影する投影光学部材と、を備える画像投影装置である。
【００１５】
上記構成において、前記画像投影装置は、メガネ形状であって、前記レーザモジュールが取り付け可能な取り付け部を有する１対のつるを備え、前記１対のつるのうちの一方のつるの前記取り付け部に前記レーザモジュールを構成する前記筐体の両側面のうちの一方の側面の前記固定部が取り付けられたときの前記複数のレーザ素子の発光点の前記一方のつるの前記取り付け部からの距離と、他方のつるの前記取り付け部に前記レーザモジュールを構成する前記筐体の両側面のうちの他方の側面の前記固定部が取り付けられたときの前記複数のレーザ素子の発光点の前記他方のつるの前記取り付け部からの距離と、は等距離である構成とすることができる。
【発明の効果】
【００１６】
本発明によれば、異なる方向に固定でき且ついずれの方向に固定した場合でも同様の放熱性を有し、同様の光学レイアウトを可能とするレーザモジュールが得られる。
【図面の簡単な説明】
【００１７】
【図１】図１は、実施例１に係るレーザモジュールを備えた画像投影装置を上方から見た図である。
【図２】図２（ａ）は、実施例１に係るレーザモジュールの前面図、図２（ｂ）は、図２（ａ）をＡ方向から見た側面図、図２（ｃ）は、図２（ａ）をＢ方向から見た側面図である。
【図３】図３（ａ）及び図３（ｂ）は、実施例１に係るレーザモジュールの分解斜視図である。
【図４】図４は、筐体へのレーザ素子の組み付けを説明する斜視図である。
【図５】図５は、実施例１に係るレーザモジュールから出射されるレーザ光の焦点を示す図である。
【図６】図６は、実施例１の変形例１に係るレーザモジュールの分解斜視図である。
【図７】図７（ａ）から図７（ｄ）は、受光素子の平面図である。
【発明を実施するための形態】
【００１８】
以下、図面を参照しつつ、本発明の実施例について説明する。
【実施例１】
【００１９】
図１は、実施例１に係るレーザモジュールを備えた画像投影装置を上方から見た図である。図１のように、画像投影装置５００は、レーザモジュール１００、レンズ６０、ミラー６２、走査ミラー６４、投影ミラー６６、画像入力部６８、及び制御部７０を備える。
【００２０】
画像投影装置５００はメガネ型である。メガネは１対のつる７２と１対のレンズ７４とを有する。１対のつる７２それぞれに、レーザモジュール１００、レンズ６０、ミラー６２、及び走査ミラー６４が設けられている。レーザモジュール１００は、１対のつる７２それぞれの取り付け部７８に取り付けられている。１対のレンズ７４それぞれに、投影ミラー６６が設けられている。画像入力部６８及び制御部７０は、例えばメガネに設けられずに外部装置（例えば携帯端末）に設けられていてもよいし、メガネのつる７２に設けられていてもよい。
【００２１】
画像入力部６８には、図示しないカメラ及び／又は録画機器などから画像データが入力される。制御部７０は、入力された画像データに基づいて、レーザモジュール１００からのレーザ光７６の出射を制御する。このように、画像データはレーザモジュール１００によって画像光線であるレーザ光７６に変換される。
【００２２】
制御部７０は、例えば制御回路であり、例えばＣＰＵ（Central Processing Unit）などのプロセッサでもよいし、専用回路であってもよい。カメラをユーザの視線方向に向けて画像投影装置５００の適切な位置に設置すれば、このカメラで撮像した視線方向の画像をユーザの網膜８２に投影させることができる。また、録画機器などから入力された画像を投影させたり、カメラ画像と録画機器などからの画像を制御部７０でスーパーインポーズさせたりして、いわゆる仮想現実（ＡＲ：Augmented Reality）画像を投影させることもできる。
【００２３】
レンズ６０は、コリメートレンズと対物レンズの複合レンズであり、レーザモジュール１００から出射されたレーザ光７６を発散光から僅かに収束する収束光に変換する。レンズ６０は、レーザモジュール１００に一体となって組み付けられていてもよいし、レーザモジュール１００とは別部品となっていてもよい。
【００２４】
ミラー６２は、レンズ６０を通過したレーザ光７６を走査ミラー６４に向かって反射させる。走査ミラー６４は、レーザ光７６を２次元方向に走査して、ユーザの網膜８２に画像を投影するための投影光とする。走査ミラー６４は、例えばＭＥＭＳ（Micro Electro Mechanical System）ミラーであり、水平方向及び垂直方向の２次元方向にレーザ光７６を走査する。なお、実施例１では、走査光学部材として走査ミラー６４の場合を例に説明するが、走査光学部材はレーザ光を走査可能であれば、例えば電気光学材料であるタンタル酸ニオブ酸リチウム（ＫＴＮ）結晶など、その他のスキャナーであってもよい。
【００２５】
走査ミラー６４で走査されたレーザ光７６は、メガネのレンズ７４のユーザの眼球８０側の面に設けられた投影ミラー６６に入射する。投影ミラー６６は、走査ミラー６４で走査されたレーザ光７６をユーザの網膜８２に投射することにより、網膜８２に画像を投影する。ユーザは網膜８２に投射されたレーザ光７６の残像効果によって画像を認識する。メガネの１対のつる７２それぞれにレーザモジュール１００などが設けられていることから、ユーザは両目で画像を認識することができる。
【００２６】
投影ミラー６６は、走査ミラー６４で走査されたレーザ光７６の収束位置が瞳孔８４近傍となるように設計されている。投影ミラー６６は、メガネのレンズ７４と接している必要はなく、レーザ光７６が瞳孔８４を通って網膜８２に照射できる位置にあればよい。また、用途によっては、投影ミラー６６のみでレンズ７４が設けられていなくてもよい。なお、実施例１では、投影光学部材として投影ミラー６６の場合を例に説明するが、投影光学部材はレーザ光を網膜８２へ投射可能であればよく、例えば回折格子やレンズであってもよい。投影光学部材としてレンズを用いる場合、集光しないミラーを配置し、このミラーの眼球８０側にレンズを配置することで実現でき、また、レーザモジュール１００、走査ミラー６４などの光学系の配置の仕方により、レンズのみで網膜８２にレーザ光を投射する構成をとることも可能である。
【００２７】
走査ミラー６４で走査されたレーザ光７６は、投影ミラー６６の手前で集光し、発散光となって投影ミラー６６に入射する。これにより、レーザ光７６は、投影ミラー６６の集光パワーによって角膜８８に略平行光で入射し、水晶体８６によって網膜８２の近傍に集光される。
【００２８】
図２（ａ）は、実施例１に係るレーザモジュールの前面図、図２（ｂ）は、図２（ａ）をＡ方向から見た側面図、図２（ｃ）は、図２（ａ）をＢ方向から見た側面図である。図２（ａ）から図２（ｃ）のように、レーザモジュール１００は、筐体１０と、レーザ素子１２ａ〜１２ｃと、ダイクロイックプリズム１４ａ、１４ｂと、ミラー１６と、固定部１８と、受光素子２０ａ、２０ｂと、を備える。筐体１０の幅Ｗは例えば４ｍｍ程度であり、高さＨは例えば１１ｍｍ程度であり、奥行きＤは例えば１６ｍｍ程度である。
【００２９】
筐体１０は、アルミニウム合金やマグネシウム合金などの熱伝導率の高い金属で形成されている。筐体１０は内側に空間２２を有する枠体形状をしている。空間２２は、一方の側面４２から他方の側面４４にかけて筐体１０を幅方向に貫通して形成されている。筐体１０の前面４０には、空間２２と外部とを連通し、レーザ素子１２ａ〜１２ｃからのレーザ光が合成されて外部に出射される孔２４が設けられている。
【００３０】
レーザ素子１２ａ〜１２ｃは、例えばＴＯ−ＣＡＮパッケージタイプの半導体レーザダイオードであり、筐体１０に設けられた空間２２に向かってレーザ光が出射するように筐体１０に組み付けられている。レーザ素子１２ａは、筐体１０の背面４６に組み付けられていて、例えば赤色レーザ光を発振する。レーザ素子１２ｂは、筐体１０の上面４８に組み付けられていて、例えば緑色レーザ光を発振する。レーザ素子１２ｃは、筐体１０の前面４０で孔２４よりも上側に組み付けられていて、例えば青色レーザ光を発振する。例えば、赤色レーザ光の波長は６１０ｎｍ〜６６０ｎｍであり、緑色レーザ光の波長は５１５ｎｍ〜５４０ｎｍであり、青色レーザ光の波長は４４０ｎｍ〜４６０ｎｍである。
【００３１】
ダイクロイックプリズム１４ａ、１４ｂは、レーザ光を透過、反射、及び合成する機能を持つ光学素子であって、空間２２内に位置して筐体１０に組み付けられている。ダイクロイックプリズム１４ａには、レーザ素子１２ａから発振された例えば赤色レーザ光と、レーザ素子１２ｂから発振された例えば緑色レーザ光と、がレンズを介さずに入射する。この時、レーザ素子１２ａから発振された例えば赤色レーザ光はダイクロイックプリズム１４ａで透過光と反射光に分光される。また、レーザ素子１２ｂから発振された例えば緑色レーザ光はダイクロイックプリズム１４ａで透過光と反射光に分光される。ダイクロイックプリズム１４ａを透過した赤色レーザ光とダイクロイックプリズム１４ａで反射された緑色レーザ光は合成され、ダイクロイックプリズム１４ｂを略全透過して、外部への出射を可能とする孔２４へ放射される。レーザ素子１２ｃから発振された例えば青色レーザ光はミラー１６で略全反射し、レンズを介さずにダイクロイックプリズム１４ｂへ入射し、透過光と反射光に分光される。ダイクロイックプリズム１４ｂで反射された青色レーザ光は、ダイクロイックプリズム１４ａで合成された合成光と合成し、外部への出射を可能とする孔２４へ放射される。一方、ダイクロイックプリズム１４ａを反射した赤色レーザ光と、ダイクロイックプリズム１４ａを透過した緑色レーザ光は、受光素子２０ａへ放射される。また、ダイクロイックプリズム１４ｂを透過した青色レーザ光は、受光素子２０ｂへ放射される。
【００３２】
ダイクロイックプリズム１４ａの分光特性は、透過する赤色レーザ光よりも反射する赤色レーザ光の方が高光強度となるように構成され、かつ、反射する緑色レーザ光よりも透過する緑色レーザ光の方が高光強度となるように構成されている。すなわち、ダイクロイックプリズム１４ａは、レーザ素子１２ａが発振する赤色レーザ光を透過光と反射光に分光すると共に、透過光の光量を反射光の光量よりも小さくする。例えば、ダイクロイックプリズム１４ａの赤色レーザ光の分光特性は透過１５％、反射８５％である。また、ダイクロイックプリズム１４ａは、レーザ素子１２ｂが発振する緑色レーザ光を透過光と反射光に分光すると共に、反射光の光量を透過光の光量よりも小さくする。例えば、ダイクロイックプリズム１４ａの緑色レーザ光の分光特性は反射１５％、透過８５％である。
【００３３】
ダイクロイックプリズム１４ｂの分光特性は、反射する青色レーザ光よりも透過する青色レーザ光の方が高光強度となるように構成されている。すなわち、ダイクロイックプリズム１４ｂは、レーザ素子１２ｃが発振する青色レーザ光を透過光と反射光に分光すると共に、反射光の光量を透過光の光量よりも小さくする。例えば、ダイクロイックプリズム１４ｂの青色レーザ光の分光特性は反射１５％、透過８５％である。
【００３４】
なお、レーザ光を透過、反射、及び合成する光学素子としてダイクロイックプリズムの場合を例に説明するが、その他の光学素子、例えば板状のダイクロイックミラーを用いてもよい。
【００３５】
このように、ダイクロイックプリズム１４ａ、１４ｂは、外部に出射されるレーザ光の光量が受光素子２０ａ、２０ｂに入射するレーザ光の光量よりも小さくなる分光特性を有する。レーザモジュール１００から出射されるレーザ光は、網膜８２に照射されることから、光強度が小さいことが好ましい。このため、レーザ素子１２ａ〜１２ｃが発振するレーザ光の光強度を小さくすることが考えられるが、光強度の小さいレーザ光の発振には限界（例えば数ｍＷ程度）があり、それよりも光強度が小さいレーザ光を安定して発振することは難しい。しかしながら、上記の分光特性を有するダイクロイックプリズム１４ａ、１４ｂを用いることで、レーザ素子１２ａ〜１２ｃが発振するレーザ光よりも光量の小さいレーザ光がレーザモジュール１００から外部に出射されるため、レーザ素子１２ａ〜１２ｃによるレーザ光の安定発振を実現しつつ、外部に出射されるレーザ光の光強度を小さくできる。
【００３６】
固定部１８は、筐体１０の１対の側面４２、４４それぞれに設けられている。固定部１８は、筐体１０の一方の側面４２から他方の側面４４にかけて筐体１０を貫通する孔２６を有する。レーザモジュール１００は、固定部１８の孔２６にネジなどを通すことで外部部品に固定される。固定部１８は、周囲よりも一段高くなって形成されている。すなわち、筐体１０の側面４２に設けられた固定部１８は側面４２の固定部１８以外の領域よりも一段高く形成され、筐体１０の側面４４に設けられた固定部１８は側面４４の固定部１８以外の領域よりも一段高く形成されている。これにより、レーザモジュール１００を外部部品に固定すると、筐体１０のうちの固定部１８のみが外部部品に接するようになる。
【００３７】
受光素子２０ａ、２０ｂは、例えば半導体フォトダイオードであり、筐体１０の外側で筐体１０の下面５０に組み付けられている。受光素子２０ａは、ダイクロイックプリズム１４ａと筐体１０を挟んだ位置に組み付けられ、レーザ素子１２ａ及びレーザ素子１２ｂで発振され、ダイクロイックプリズム１４ａで分光されたレーザ光を受光する。受光素子２０ｂは、ダイクロイックプリズム１４ｂと筐体１０を挟んだ位置に組み付けられ、レーザ素子１２ｃで発振され、ダイクロイックプリズム１４ｂで分光されたレーザ光を受光する。受光素子２０ａ、２０ｂが光電変換によって出力する電流（モニタ値）は、制御部７０に入力される。制御部７０は、受光素子２０ａ、２０ｂのモニタ値に基づいてレーザ素子１２ａ〜１２ｃをフィードバック制御する。
【００３８】
レーザモジュール１００の小型化が進むと、受光素子２０ａ、２０ｂも小型化して受光面積が小さくなる。このため、受光素子２０ａ、２０ｂの検出精度の低下が懸念される。しかしながら、上述したように、ダイクロイックプリズム１４ａ、１４ｂによってレーザ素子１２ａ〜１２ｃが発振するレーザ光の半分以上の光量を有するレーザ光が受光素子２０ａ、２０ｂに放射されるため、受光素子２０ａ、２０ｂで検出できるレーザ光の光量が増えて検出精度の低下を抑制できる。
【００３９】
図７（ａ）から図７（ｄ）は、受光素子の平面図である。図７（ａ）は、受光素子２０ａの平面図、図７（ｂ）は、受光素子２０ｂの平面図である。図７（ａ）のように、受光素子２０ａは、赤色レーザ光の波長帯に感度を有して赤色レーザ光を受光する受光領域９０と緑色レーザ光の波長帯に感度を有して緑色レーザ光を受光する受光領域９２とを有して構成されている。図７（ｂ）のように、受光素子２０ｂは、青色レーザ光の波長帯に感度を有して青色レーザ光を受光する受光領域９４を有して構成されている。このとき、受光領域９０〜９４はレーザ光の放射範囲を規定するものではなく、例えば、図７（ａ）の一点鎖線のように赤色レーザ光と緑色レーザ光の合成光が所定の範囲に放射される。
【００４０】
なお、赤色レーザ光はダイクロイックプリズム１４ａを全透過し、緑色レーザ光はダイクロイックプリズム１４ａを全反射して合成され、ダイクロイックプリズム１４ｂで透過光と反射光に分光される構成でもよい。この場合、ダイクロイックプリズム１４ｂの分光特性は、透過する赤色レーザ光と緑色レーザ光の合成光よりも反射する合成光の方が高光強度となるように構成され、青色レーザ光は上記と同様に構成される。この場合、図７（ｃ）のように、受光素子２０ｂは、赤色レーザ光の波長帯に感度を持つ受光領域９０と、緑色レーザ光の波長帯に感度を持つ受光領域９２と、青色レーザ光の波長帯に感度を持つ受光領域９４とを有する構成とし、受光素子２０ａは不要となる。また、図７（ｄ）のように、受光素子２０ｂは、赤色レーザ光、緑色レーザ光、及び青色レーザ光の全ての波長帯に感度を有して全てのレーザ光を受光する受光領域９５を有する構成とし、かつ、赤色レーザ光、緑色レーザ光、及び青色レーザ光それぞれを時間的にずらして発光させ、それぞれのレーザ光が発光している時間内のみ受光素子２０ｂでモニタすることで、受光素子２０ａは不要となる。
【００４１】
このように、受光素子は、複数のレーザ素子が発振する複数のレーザ光の波長帯それぞれに感度を有する複数の受光領域を備えていてもよいし、複数のレーザ素子が発振する複数のレーザ光の全ての波長帯に感度を有する１つの受光領域を備えていてもよい。
【００４２】
レーザ素子１２ａ〜１２ｃ、ダイクロイックプリズム１４ａ、１４ｂ、ミラー１６、受光素子２０ａ、２０ｂは、筐体１０の側面４２、４４の間に位置して筐体１０に組み付けられている。
【００４３】
図３（ａ）及び図３（ｂ）は、実施例１に係るレーザモジュールの分解斜視図である。図３（ａ）では、筐体１０及び固定部１８を示し、図３（ｂ）では、レーザ素子１２ａ〜１２ｃ、ダイクロイックプリズム１４ａ、１４ｂ、ミラー１６、及び受光素子２０ａ、２０ｂを示している。図３（ａ）及び図３（ｂ）のように、レーザ素子１２ａ〜１２ｃの発光点２８によって形成される平面を平面３０とする。なお、平面３０が筐体１０やダイクロイックプリズム１４ａ、１４ｂなどと交差する箇所も一点鎖線で示している。筐体１０は平面３０に対して対称形状をしている。筐体１０の前面４０、背面４６、上面４８、及び下面５０は平面３０に交差している。すなわち、筐体１０の前面４０、背面４６、上面４８、及び下面５０の中心線は平面３０に一致する。筐体１０の側面４２、４４は、平面３０の両側に位置していて、例えば平面３０に平行な面となっている。筐体１０の側面４２、４４に設けられた固定部１８は平面３０に対して対称に設けられている。ダイクロイックプリズム１４ａ、１４ｂ、ミラー１６、及び受光素子２０ａ、２０ｂは、平面３０に対して対称形状となって筐体１０に組み付けられている。
【００４４】
すなわち、固定部１８が設けられた側面４２、４４は、レーザ光の出射方向に平行であって、レーザ素子１２ａ〜１２ｃの発光点２８は、側面４２、４４から等距離で、側面４２、４４との間の中心に位置している。このため、図１のように１対のつる７２それぞれの取り付け部７８にレーザモジュール１００が取り付けられた場合、一方のつる７２にレーザモジュール１００の一方の側面４２が取り付けられ、他方のつる７２に他のレーザモジュール１００の他方の側面４４が取り付けられるようになり、それぞれのレーザモジュール１００のレーザ素子１２ａ〜１２ｃの発光点２８は、それぞれの取り付け部７８から等距離となっている。
【００４５】
図４は、筐体へのレーザ素子の組み付けを説明する斜視図である。レーザ素子１２ａ〜１２ｃを筐体１０に組み付ける前に、筐体１０にはダイクロイックプリズム１４ａ、１４ｂ及びミラー１６が組み付けられている。レーザ素子１２ａ〜１２ｃは、筐体１０に対してＸ軸方向（筐体１０の幅方向）、Ｙ軸方向（筐体１０の高さ方向）、及びＺ軸方向（筐体１０の奥行き方向）に平行移動が可能、且つ、Ｘ軸、Ｙ軸、及びＺ軸に対して回転移動が可能となっている。レーザ素子１２ａ〜１２ｃは、筐体１０に組み付ける際、レーザ素子１２ａ〜１２ｃで発振したレーザ光が、ダイクロイックプリズム１４ｂの後段に配置されるレンズによって、レーザモジュール１００の外部で同じ位置に集光されるように、レーザ素子１２ａ〜１２ｃをＸ軸、Ｙ軸、及びＺ軸に平行移動及び回転移動させて光軸及び焦点距離の調整を行い、図示しない接着剤で固定される。受光素子２０ａ、２０ｂは、筐体１０の下面５０に予め設計位置に固定されていても良いし、レーザ素子１２ａ〜１２ｃを調整及び固定した後に、最適な位置に調整及び固定してもよい。受光素子２０ａ、２０ｂを調整及び固定する場合、受光素子２０ａ、２０ｂは、筐体１０の下面５０に対してＸ軸方向（筐体１０の幅方向）、及びＺ軸方向（筐体１０の奥行き方向）に平行移動が可能となっており、受光素子はより最適な位置に調整することが可能となる。レーザ素子１２ａ〜１２ｃで発振されるレーザ光の光強度は、受光素子２０ａ、２０ｂからの電流信号を受信した実施例１の制御部７０によって適切な光強度に制御される。
【００４６】
図５は、実施例１に係るレーザモジュールから出射されるレーザ光の焦点を示す図である。図５のように、レーザ素子１２ａ〜１２ｃをＸ軸、Ｙ軸、及びＺ軸に平行移動及び回転移動させて光軸合わせを行うことで、レーザ素子１２ａ〜１２ｃで発振されたレーザ光は、ダイクロイックプリズム１４ａ、１４ｂによって同軸上に合成され、ダイクロイックプリズム１４ｂの後段に配置されるレンズ６０によってレーザモジュール１００の外部で同じ位置に集光されて１つの焦点３２を形成する。焦点３２は、図１において、走査ミラー６４の後段且つ投影ミラー６６の前段でレーザ光７６が集光する点に相当する。
【００４７】
実施例１のレーザモジュール１００によれば、図２（ａ）から図３（ａ）のように、筐体１０はレーザ素子１２ａ〜１２ｃの発光点２８によって形成される平面３０に対して対称形状をしている。固定部１８は筐体１０の側面４２、４４に平面３０に対して対称に設けられている。これにより、レーザモジュール１００は、筐体１０の側面４２、４４の両方において固定部１８によって同様の光学レイアウトで外部部品に固定されることができる。したがって、レーザモジュール１００は、出射されるレーザ光の方向が投影ミラー６６の方向のままで、メガネ型の画像投影装置５００の１対のつる７２のいずれにも固定することができる。また、レーザモジュール１００を筐体１０の側面４２、４４のどちらの固定部１８で外部部品に固定したとしても、筐体１０は平面３０に対して対称形状であり且つ固定部１８は平面３０に対して対称に設けられているため、同様の放熱性を得ることができる。なお、筐体１０の対称形状及び固定部１８の対称配置は、放熱性の点から完全に対称形状及び完全に対称配置である場合が好ましいが、製造誤差程度の放熱性にほとんど影響を与えない程度に形状や配置が異なる場合でもよい。
【００４８】
固定部１８は、筐体１０の側面４２、４４のうちの固定部１８が設けられた領域以外の領域よりも高くなって設けられている。これにより、レーザモジュール１００を固定部１８によって外部部品に固定した場合、筐体１０の側面４２、４４のうちの固定部１８のみが外部部品に接触することになる。このため、レーザモジュール１００を筐体１０の側面４２、４４のどちらの固定部１８で外部部品に固定したとても、固定による光学的な歪みを最小限に抑えながら、同様の放熱性が得られ易くなる。
【００４９】
図３（ｂ）のように、ダイクロイックプリズム１４ａ、１４ｂ、ミラー１６、及び受光素子２０ａ、２０ｂは、平面３０に対して対称形状となって筐体１０に組み付けられている。このように、筐体１０に組み付けられる部品も平面３０に対して対称形状とすることで、レーザモジュール１００を筐体１０の側面４２、４４のどちらの固定部１８で外部部品に固定した場合でも、同様の放熱性が得られ易くなる。また、図２（ａ）から図２（ｃ）のように、レーザ素子１２ａ〜１２ｃ、ダイクロイックプリズム１４ａ、１４ｂ、ミラー１６、及び受光素子２０ａ、２０ｂは、筐体１０の側面４２、４４の間に位置して筐体１０に組み付けられている。これにより、ダイクロイックプリズム１４ａ、１４ｂ、ミラー１６、及び受光素子２０ａ、２０ｂを平面３０に対して対称形状となるように容易に組み付けることができる。
【００５０】
図２（ｂ）及び図２（ｃ）のように、レーザ素子１２ａ〜１２ｃは筐体１０の内側に設けられた空間２２に向かってレーザ光が出射するように筐体１０に組み付けられている。ダイクロイックプリズム１４ａ、１４ｂは空間２２内に位置して筐体１０に組み付けられている。これにより、レーザモジュール１００を小型化することができる。レーザモジュール１００が小型化することで、図１のメガネ型の画像投影装置５００におけるメガネのつる７２にレーザモジュール１００を取り付け易くなる。
【００５１】
また、レーザ素子１２ａ〜１２ｃの発光点２８によって形成される平面３０は、側面４２の固定部１８までの距離と、側面４４の固定部１８までの距離と、が等しい。このため、１対のつる７２のうちの一方のつるの取り付け部７８にレーザモジュール１００を構成する筐体１０の一方の側面４２の固定部１８を固定したときと、他方のつるの取り付け部７８にレーザモジュール１００を構成する筐体１０の他方の側面４４の固定部１８を固定したときとで、レーザ素子１２ａ〜１２ｃの発光点２８の取り付け部７８からの距離が同一になる。したがって、このレーザモジュール１００の構成により、レーザモジュール１００を、画像投影装置５００の１対のつる７２の双方に取り付けたときに、熱的にも、光学的にも左右対称に取り付けることができる。これにより、同一のレーザモジュール１００を、熱的、光学的な性能に与える影響を最小限にして、右目用、左目用どちらにも取り付けることができるようになる。
【００５２】
また、画像投影装置５００を、片目用の画像投影装置として、片方のつる７２だけにレーザモジュール１００を取り付けてもよく、左右いずれのつる７２に取り付ける場合においても、同様の固定方法と同様の放熱性を有し、同様の光学レイアウトを可能とすることで、製造コストを低減したレーザモジュール及びこのレーザモジュールを備えた画像投影装置を提供することが可能となる。
【００５３】
レーザモジュール１００を備えた画像投影装置５００において、レーザ素子１２ａ〜１２ｃから出射されたレーザ光の焦点位置が互いにずれると色再現性が低下して良質な画像を投影することが難しくなる。しかしながら、実施例１によれば、図５のように、レーザ素子１２ａ〜１２ｃから出射されてダイクロイックプリズム１４ａ、１４ｂを経由したレーザ光はレンズ６０によって筐体１０の外部で同じ位置に集光される。このため、色再現性の低下が抑制されて良質な画像を投影することができる。
【００５４】
図５のように、レーザ素子１２ａ〜１２ｃから出射されたレーザ光はレンズを介さずにダイクロイックプリズム１４ａ、１４ｂに入射している。このように、レーザ素子１２ａ〜１２ｃとダイクロイックプリズム１４ａ、１４ｂとの間にレンズが設けられていないことで、レーザモジュール１００を小型化することができる。すなわち、図５に示す構成で、レンズはレンズ６０の１つのみであるため、複数のレンズを使用したときの収差や、色再現性の低下が抑制できると同時に、レーザモジュール１００の小型化を実現している。
【００５５】
図６は、実施例１の変形例１に係るレーザモジュールの分解斜視図である。図６のように、実施例１の変形例１のレーザモジュール１１０では、筐体１０の側面４２、４４に、レーザ素子１２ａ〜１２ｃから出射されるレーザ光の反射を抑制するフィルム３４が設けられている。フィルム３４は、例えば誘電体材料を蒸着又はスパッタリングで積層したＡＲ（Anti-Reflection）シートや、連続微細多孔質の樹脂を利用した光吸収シートなどで形成されている。その他の構成は、実施例１と同じであるため説明を省略する。
【００５６】
実施例１の変形例１のように、フィルム３４が筐体１０の側面４２、４４に設けられていてもよい。これにより、レーザ素子１２ａ〜１２ｃから出射されるレーザ光の迷光を抑制することができる。また、外部からの光の入射も抑制できる。筐体１０の側面４２、４４のいずれの固定部１８で外部部品に固定した場合でも、放熱性や迷光の抑制が同程度となるように、フィルム３４は筐体１０の側面４２、４４に平面３０に対して対称形状をして設けられていることが好ましい。
【００５７】
実施例１及び実施例１の変形例１のレーザモジュールでは、赤色、緑色、青色のレーザ光を発振するレーザ素子１２ａ〜１２ｃを備える場合を例に示したが、その他の波長のレーザ光を発振する３つ以上の複数のレーザ素子を備えている場合でもよい。また、実施例１及び実施例１の変形例１では、レーザモジュールを備えた装置として画像投影装置の場合を例に示したが、その他の装置の場合でもよい。
【００５８】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００５９】
１０  筐体
１２ａ〜１２ｃ  レーザ素子
１４ａ、１４ｂ  ダイクロイックプリズム
１６  ミラー
１８  固定部
２０ａ、２０ｂ  受光素子
２２  空間
２４、２６  孔
２８  発光点
３０  平面
３２  焦点
３４  フィルム
４０  前面
４２、４４  側面
４６  背面
４８  上面
５０  下面
６０  レンズ
６２  ミラー
６４  走査ミラー
６６  投影ミラー
６８  画像入力部
７０  制御部
７２  メガネのつる
７４  メガネのレンズ
７６  レーザ光
７８  取り付け部
８０  眼球
８２  網膜
８４  瞳孔
８６  水晶体
８８  角膜
９０〜９５  受光領域
１００、１１０  レーザモジュール
５００  画像投影装置
【図１】
2018165784.tif 000003
【図２】
2018165784.tif 000004
【図３】
2018165784.tif 000005
【図４】
2018165784.tif 000006
【図５】
2018165784.tif 000007
【図６】
2018165784.tif 000008
【図７】
2018165784.tif 000009